(57)【要約】【課題】従来の広告を画像に付加する広告付加装置では、単一の画像に対しては広告を画像に対して邪魔にならない位置に配置することが考えられていたが、複数の画像からなるシールプリント、インデックスプリントでは広告を画像に対してどうするか考慮されていなかったので広告が画像に対して統一感がなかった。【解決手段】ロゴ、ＣＩマーク等の企業等団体のロゴを含む広告を画像に配置する装置で、前記画像の天地を設定し、画像信号より前記画像が縦長か横長かを検出し、前記画像が横長の場合でも縦長の場合の何れであっても、前記画像の左下隅に前記ロゴ、ＣＩ等の団体ロゴを配置し、複数の画像からなるシールプリント、インデックスプリントで広告が同一場所にあるので統一感があり、見やすい画像が得られる。【選択図】図１
2008262514.tif 000002
【特許請求の範囲】
【請求項１】
ロゴ、ＣＩマーク等の企業等団体のロゴを含む広告を画像に配置する装置で、前記画像の天地を設定する手段と、前記画像が縦長か横長かを検出する手段と、前記画像が横長の場合でも縦長の場合の何れであっても、前記画像の左下隅に前記ロゴ、ＣＩ等の団体ロゴを配置する手段とを備えた広告付加装置。
【請求項２】
ロゴ、ＣＩマーク等の企業等団体のロゴを含む広告を画像に配置する方法で、前記画像の天地を設定するステップと、前記画像が縦長か横長かを検出するステップと、前記画像が横長の場合でも縦長の場合の何れであっても、前記画像の左下隅に前記ロゴ、ＣＩ等の団体ロゴを配置するステップとを備えた広告付加方法。
【請求項３】
前記画像が複数個集合し、請求項２に記載の広告付加方法により製造されたシールプリント。
【請求項４】
前記画像が複数個集合し、請求項２に記載の広告付加方法により製造されたインデックスプリント。
【発明の詳細な説明】
【技術分野】
【０００１】
本発明は、画像に広告を付加する広告付加装置、広告付加方法、画像に広告が付加されたシールプリント及び画像に広告が付加されたインデックスプリントに関する。
【背景技術】
【０００２】
従来の画像に広告を付加する装置及び方法は、例えば特定色として肌色があり、肌色が最も少ないと判断した領域を選択し、写真画像の中の地色部や輝度の低い部分に広告印刷を行い、注文データ（撮像データ）に影響の少ない箇所に広告印刷することによって、撮影画像領域に影響を与えることのない印刷処理を行うことができる。（例えば特許文献１参照）。
【０００３】
【特許文献１】特開２００１−３２５６６２号公報
【発明の開示】
【発明が解決しようとする課題】
【０００４】
以上に述べた従来の画像に広告を付加する装置及び方法では、それぞれの画像に対して広告が邪魔しないように影響の少ない場所に広告を配置していた。しかしながら、複数の画像が並んだような、例えば画像駒を複数並べたインデックスプリント、シールプリントのような場合には広告が画像に対してバラバラな位置に広告を配したら、統一性がなく全体的に見苦しくみられインデックスプリント、シールプリントとしての商品価値が著しく下がってしまう。
【０００５】
本発明は、このような従来の構成が有していた問題点を解決しようとするものであり、画像を複数並べたインデックスプリントやシールプリントで広告の位置を所定の場所で、且つ最適な位置に配置することを目的とするものである。
【課題を解決するための手段】
【０００６】
本発明の請求項１はロゴ、ＣＩマーク等の企業等団体のロゴを含む広告を画像に配置する装置で、前記画像の天地を設定する手段と、前記画像が縦長か横長かを検出する手段と、前記画像が横長の場合でも縦長の場合の何れであっても、前記画像の左下隅に前記ロゴ、ＣＩ等の団体ロゴを含む広告を配置する手段とを備えた広告付加装置を提供するものである。
【０００７】
本発明の請求項２はロゴ、ＣＩマーク等の企業等団体のロゴを含む広告を画像に配置する方法で、前記画像の天地を設定するステップと、前記画像が縦長か横長かを検出するステップと、前記画像が横長の場合でも縦長の場合の何れであっても、前記画像の左下隅に前記ロゴ、ＣＩ等の団体ロゴを含む広告を配置するステップとを備えた広告付加方法。
【０００８】
本発明の請求項３は、前記画像が複数個集合し、請求項２に記載の広告付加方法により製造されたシールプリントを提供するものである。
【０００９】
本発明の請求項４は、前記画像が複数個集合し、請求項２に記載の広告付加方法により製造されたインデックスプリントを提供するものである。
【発明の効果】
【００１０】
上述したように本発明の広告付加装置、広告付加方法は、ロゴ、ＣＩマーク等を含む広告を画像が縦長画像であれ、横長画像であれ、前記左下隅に配置するので、どこに広告が配置されているかが一見して分かり、さらに、本発明の広告付加方法により製造された、複数の画像が集合したシールプリント、インデックスプリントで広告が定まった場所に配置されているのでそうでない場合に比べて見苦しくなく、統一感があり、ビジュアル的にも好印象を与えるシールプリント、インデックスプリントが製造される。
【００１１】
また、広告は日本文字にしても英文字にしても複数の文字からなる場合、左が基準であるので画像の左下隅に配置すると広告の先頭が揃うことになり、複数の画像を並べた場合に統一感があり、見栄えのする画像となる。
【発明を実施するための最良の形態】
【００１２】
本発明を図１〜図４に基づいて説明する。
【００１３】
図１は本発明の実施形態を示すブロック図である。１は画像入力手段、２は天地方向設定手段、３はロゴ、ＣＩマーク等を含む広告の内容を入力する広告入力手段、４は制御装置である。画像に対して天地方向を設定し、画像入力信号による画像信号から５で示す画像縦長／横長検知手段により縦長か横長かを検知し、６で示す広告位置決定手段により前記広告の位置を画像の左下隅に位置するように決定し、７で示すプリント装置よりプリントが開始される。なお、プリント装置は不図示の通信で繋がれた場合もある。
【００１４】
図２は本発明の制御装置４の内容を示すフローチャートで、Ｓ０で示すようにプリントしたい画像選択させ、Ｓ１で示すように画像に対して天地方向設定手段２により画像の天地、即ち縦、横を設定し、Ｓ２で示すように画像縦横検知手段５により前記画像が縦長か横長かを検知する。Ｓ３で示すように前記広告を前記画像の左下隅に配置する。
【００１５】
図３は縦位置画像、図４は横位置画像で画像領域をＰ、広告領域をＡで示し、前記広告が前記画像の左下に配置していることを示している。
【００１６】
図５は縦位置画像、横位置画像が混在しているシールプリント、インデックスプリントである。画像領域をＱ１〜５は縦位置画像、Ｒ１〜４は横位置画像であり、広告領域をＡで示し、前記広告が前記画像の左下に配置していることを示している。
【００１７】
本発明により、すべての画像に対して広告を画像の左下隅に配置するようにした場合に、複数のすべての画像を配置したシールプリント、インデックスプリントで画像の左下隅に広告が揃って配置されるので統一感があり、みて感じのよいシールプリント、インデックスプリントになる効果を有する。
【図面の簡単な説明】
【００１８】
【図１】本発明の実施形態を示すブロック図
【図２】本発明の実施形態を示すフローチャート
【図３】縦位置画像と広告との位置関係を示す図
【図４】横位置画像と広告との位置関係を示す図
【図５】縦位置画像と横位置画像が混在している場合の広告との位置関係を示す図
【符号の説明】
【００１９】
１        画像入力手段
２        天地方向設定手段
３        ロゴ、ＣＩマーク等を含む広告の内容を入力する広告入力手段
４        制御装置
５        画像縦長／横長検知手段
６        広告位置決定手段
７        プリント装置
【図１】
2008262514.tif 000003
【図２】
2008262514.tif 000004
【図３】
2008262514.tif 000005
【図４】
2008262514.tif 000006
【図５】
2008262514.tif 000007